(57)【要約】【課題】ユーザが液晶表示装置を電子機器本体に対して回転させ、液晶表示装置の見るアングルを変更したとしても、バックライトの輝度を調整する必要がなく、使い勝手がよい電子機器を提供する。【解決手段】本発明は、液晶パネル、及び、前記液晶パネルの背面より光を照射するバックライトを含んで構成される液晶表示装置を有する電子機器であって、前記液晶表示装置と電子機器本体との間で角度を変更可能とする角度可変手段と、前記角度可変手段によって変更された前記液晶表示装置と前記電子機器本体との間の角度に応じて前記バックライトの輝度を変更する輝度制御手段とを有することを特徴とする。【選択図】図１
2008256934.tif 000002
【特許請求の範囲】
【請求項１】
液晶パネル、及び、前記液晶パネルの背面より光を照射するバックライトを含んで構成される液晶表示装置を有する電子機器であって、
前記液晶表示装置と電子機器本体との間で角度を変更可能とする角度可変手段と、
前記角度可変手段によって変更された前記液晶表示装置と前記電子機器本体との間の角度に応じて前記バックライトの輝度を変更する輝度制御手段とを有することを特徴とする電子機器。
【請求項２】
前記角度可変手段によって変更された前記液晶表示装置と前記電子機器本体との間の任意の角度に対して前記バックライトの輝度を任意に設定することができることを特徴とする請求項１に記載の電子機器。
【請求項３】
前記角度可変手段によって前記液晶表示装置と前記電子機器本体との間の角度が変更され、前記液晶表示装置の表示がオフされた後、再び前記液晶表示装置の表示がオンされた時に前記オフする直前のバックライトの輝度が保持されることを特徴とする請求項１又は２に記載の電子機器。
【請求項４】
前記角度可変手段によって変更された前記液晶表示装置と前記電子機器本体との間の角度の変更に応じて前記バックライトの輝度が変更された際に、前記バックライトの輝度が変更されたことを通知する通知手段を有することを特徴とする請求項１〜３のいずれか１項に記載の電子機器。
【請求項５】
主電源がオフされた後、再び前記主電源がオンされた時に前記オフする直前のバックライトの輝度が保持されることを特徴とする請求項１〜４のいずれか１項に記載の電子機器。
【請求項６】
操作手段と、
前記操作手段により前記バックライトの輝度を任意の輝度に設定する設定手段とを有することを特徴とする請求項１〜５のいずれか１項に記載の電子機器。
【請求項７】
前記設定手段で設定可能なバックライトの輝度は、あらかじめ定められた範囲の最大の輝度、又は最小の輝度であることを特徴とする請求項６に記載の電子機器。
【請求項８】
複数の操作部材からなる操作手段と、
前記バックライトの輝度を設定する設定手段とを有し、
前記設定手段は、前記複数の操作部材のうちの１つが操作された際、前記バックライトの輝度をあらかじめ定められた範囲の最大の輝度、最小の輝度、又は前記設定手段によりバックライトの輝度が変更される前の輝度のいずれかに変更することを特徴とする請求項１〜５のいずれか１項に記載の電子機器。
【請求項９】
複数の表示モードを有し、
前記複数の表示モードのいずれか１つの表示モードに変更されても前記設定手段で設定されているバックライトの輝度が保持されることを特徴とする請求項６〜８のいずれか１項に記載の電子機器。
【請求項１０】
液晶パネル、及び、前記液晶パネルの背面より光を照射するバックライトを含んで構成される液晶表示装置を有する撮像装置であって、
前記液晶表示装置と撮像装置本体との間で角度を変更可能とする角度可変手段と、
前記角度可変手段によって変更された前記液晶表示装置と前記撮像装置本体との間の角度に応じて前記バックライトの輝度を変更する輝度制御手段とを有することを特徴とする撮像装置。
【請求項１１】
液晶パネル、及び、前記液晶パネルの背面より光を照射するバックライトを含んで構成される液晶表示装置と、前記液晶表示装置と電子機器本体との間で角度を変更可能とする角度可変手段とを有する電子機器の制御方法であって、
前記角度可変手段によって変更された前記液晶表示装置と前記電子機器本体との間の角度に応じて前記バックライトの輝度を変更する輝度制御ステップを有することを特徴とする電子機器の制御方法。
【請求項１２】
液晶パネル、及び、前記液晶パネルの背面より光を照射するバックライトを含んで構成される液晶表示装置と、前記液晶表示装置と電子機器本体との間で角度を変更可能とする角度可変手段とを有する電子機器を制御するコンピュータプログラムであって、
前記角度可変手段によって変更された前記液晶表示装置と前記電子機器本体との間の角度に応じて前記バックライトの輝度を変更する輝度制御ステップをコンピュータに実行させるためのコンピュータプログラム。
【発明の詳細な説明】
【技術分野】
【０００１】
本発明は、例えば液晶パネルの背面より光を照射するバックライトの輝度を変更することができる液晶表示装置を有するデジタルカメラ等の電子機器、電子機器の制御方法、コンピュータプログラムに関する。
【背景技術】
【０００２】
従来から液晶表示装置で用いられているパネルバックライトの輝度を、ユーザの好みに変更する調光機能を備えたノートブック型パソコン、デジタルカメラ、ＰＤＡ等の電子機器が多数存在している。
【０００３】
その類似機能として、バックライトの輝度を段階的に調光するのではなく、ボタン操作で大幅に変更する電子機器も存在する。ここで、図１６を用いて、輝度を変更する具体的な方法について説明する。
【０００４】
まず、調光ステップと輝度の関係がＢの曲線からＡの曲線へ変更される。このとき、Ｂの＋２ステップにあるものは、Ａの＋２ステップへと変更され、つまり、調光ステップはそのままに、輝度値をある割合アップさせることが可能となる。
【０００５】
また、バックライトの輝度を外光の強弱に応じて自動的に変更する電子機器は、既に多数開示されている。例えば、代表的なものとして、特許文献１に記載の発明は、装置周囲の明るさを検出するセンサと、検出された明るさに応じてバックライトの輝度を調整する輝度調整部とを有し、照度に応じて輝度を制御するものである。
【０００６】
【特許文献１】特開平２−１２１２５号公報
【発明の開示】
【発明が解決しようとする課題】
【０００７】
しかしながら、上述した調光機能を備えた電子機器においては、ユーザは、外光の強弱によって表示が見やすいように、バックライトの輝度を変更しなければならず、ユーザにとって使いづらい仕様になっている。
【０００８】
また、上記特許文献１に記載の発明においては、装置周囲の明るさを検出するセンサが必要となり、コストアップ、装置の大型化等の問題が生じる。さらに、装置周囲の明るさを検出し、その明るさに応じたバックライトの輝度に調整しても、ユーザが液晶表示装置を電子機器本体に対して回転させて、液晶表示装置の角度を変更し、見るアングルを変更すると、液晶表示装置の表示が見えづらくなる場合がある。このような場合、ユーザは再度、バックライトの輝度を調整しなければならない。
【０００９】
本発明は、上述の問題点に鑑みてなされたもので、ユーザが液晶表示装置を電子機器本体に対して回転させて液晶表示装置の角度を変更し、見るアングルを変更したとしても、バックライトの輝度を調整する必要がなく、使い勝手がよい電子機器を提供する。
【課題を解決するための手段】
【００１０】
上記問題点を解決するために本発明は、液晶パネル、及び、前記液晶パネルの背面より光を照射するバックライトを含んで構成される液晶表示装置を有する電子機器であって、前記液晶表示装置と電子機器本体との間で角度を変更可能とする角度可変手段と、前記角度可変手段によって変更された前記液晶表示装置と前記電子機器本体との間の角度に応じて前記バックライトの輝度を変更する輝度制御手段とを有することを特徴とする。
【発明の効果】
【００１１】
本発明によれば、液晶表示装置と電子機器本体との間で角度を変更可能とする角度可変手段と、前記角度可変手段によって変更された前記液晶表示装置と前記電子機器本体との間の角度に応じてバックライトの輝度を変更する輝度制御手段とを有する。したがって、ユーザが液晶表示装置を電子機器本体に対して回転させて液晶表示装置の角度を変更し、見るアングルを変更したとしても、液晶表示装置の角度に応じた最適なバックライトの輝度で液晶表示装置の表示を見ることができる。
【００１２】
また、例えば本発明の電子機器をデジタルカメラ等の撮像装置に用いた場合は、ユーザがハイアングルやローアングル等で撮影するために液晶表示装置の角度を変更したとしても、撮影したいアングルに応じたバックライトの輝度に変更される。したがって、アングルを変更する度に、ユーザがバックライトの輝度を変更する必要がなく、デジタルカメラの使い勝手を向上させることができる。
【発明を実施するための最良の形態】
【００１３】
図１は、本発明の実施形態に係るデジタルカメラの構成を示す図である。ここで、デジタルカメラは後述する液晶表示装置１０と、この液晶表示装置１０を支持するカメラ本体８１（撮像装置本体（電子機器本体））とを含んで構成される。
【００１４】
１０はバリアングル液晶表示装置であり、ＬＣＤ等の液晶パネル１１ならびに液晶パネル１１の背面より光を照射するバックライト１２より構成される。１３は液晶パネル１１を駆動するパネル駆動回路、１４はバックライト１２を駆動するバックライト駆動回路である。
【００１５】
１５は液晶表示装置１０の回転角度を検出する角度検出手段の一例としての液晶表示装置角度検出装置であり、例えばジャイロセンサ、又は加速度センサ等により構成され、角度の出力値を中央処理装置２２に出力する。１６はＬＥＤ、又はスピーカー等で構成される通知手段の一例としての通知装置であり、液晶表示装置１０の輝度が変更された際に、ユーザに輝度が変更されたことを知らせる装置である。
【００１６】
２１は画像信号処理装置であり、Ａ／Ｄ変換回路３４もしくは中央処理装置２２からの制御信号・映像を受け、パネル駆動回路１３に映像信号を出力する。２２は中央処理装置であり、パネル駆動回路１３、バックライト駆動回路１４、撮像駆動回路３３等の駆動回路の制御を行う。また中央処理装置２２は、ユーザによるモード切替スイッチ４１、表示設定ボタン４２、パワーＬＣＤボタン４３等の操作部材に対しての操作により、前記の駆動回路の制御等を行う。ここで中央処理装置２２は、バックライトの輝度を変更する輝度制御手段を構成する。
【００１７】
３０は撮像部であり、レンズ３１、撮像素子３２、撮像駆動回路３３、Ａ／Ｄ変換回路３４より構成されるものとする。３１は撮像部のレンズであり、図示しないが、バリア、絞り、鏡筒等も含む。３２はＣＣＤ等の撮像素子であり、レンズ３１を通過した光を受光し、電圧に変換する。３３は撮像駆動回路であり、撮像素子３２を駆動する駆動回路である。３４はＡ／Ｄ変換回路であり、撮像素子３２から出力された出力電圧（アナログ量）を規定のビット数のデジタル値に変換する。なお、撮像駆動回路３３は、Ａ／Ｄ変換回路３４のＡ／Ｄのサンプリングのタイミングも制御する。
【００１８】
４１はモード切替スイッチであり、操作者により静止画撮影モード、動画撮影モード、再生モードのうち１つのモードが設定される。４２は表示設定ボタンであり、押されるボタンの回数により、液晶表示装置１０の状態が（１）映像のみの表示、（２）映像表示ならびに撮影モード、バッテリー残量等の情報表示、（３）表示なし、以上３つの状態に変更することが可能である。
【００１９】
４３はパワーＬＣＤボタンであり、操作者によりパワーＬＣＤボタンが押されるとパワーＬＣＤモードが設定される。
【００２０】
５１はフラッシュメモリ等のメモリである。フラッシュメモリ５１は、操作者によって設定されるパワーＬＣＤモードの状態を示すパワーＬＣＤフラグを記憶する。また、フラッシュメモリ５１は、パワーＬＣＤモードがオンになった際にその直前のバックライト駆動回路１４に出力する制御信号、バックライトの輝度を最大、最小に設定するためのバックライト駆動回路１４に出力する制御信号、及び各設定状況を記憶する。ここで、パワーＬＣＤモードがオンになった際にその直前のバックライト駆動回路１４に出力する制御信号とは、後述するステップＳ１０４のバックライト輝度調光設定により設定される制御信号である。
【００２１】
５２は外部メモリスロットであり、ＳＤメモリ、コンパクトフラッシュ（登録商標）等のメディアが挿入可能であり、中央処理装置２２により、データの読み書きがなされる。６１は光学ファインダーである。
【００２２】
図２は、本実施形態に係るデジタルカメラを背面から見た外観斜視図である。８０はデジタルカメラであり、液晶表示装置１０と、この液晶表示装置１０を支持するカメラ本体８１とを含んで構成されている。液晶表示装置１０は平板状に形成されており、その一面には背面よりバックライトが照射される液晶パネル１１が設けられている。
【００２３】
液晶表示装置１０とカメラ本体８１との接続部分には、液晶表示装置１０とカメラ本体８１との間で角度を変更可能とする角度可変手段としての第１のヒンジ７１と、第２のヒンジ７２が設けられている。第１のヒンジ７１は、カメラ本体８１に対して、液晶表示装置１０を、例えば水平軸（図２中のＸ軸）回りに角度を変更することができる。この第１のヒンジ７１によって、液晶表示装置１０の角度を変更することができ、ユーザは、ハイアングルやローアングル等であっても、楽な姿勢で液晶表示装置１０を見ることができる。
【００２４】
第２のヒンジ７２は、カメラ本体８１に対して、液晶表示装置１０を、例えば鉛直軸（図２中のＹ軸）回りに角度を変更することができる。この第２のヒンジ７２によって、液晶表示装置１０の角度を変更することができ、液晶表示装置１０をカメラ本体に収納したり、最適な姿勢で液晶表示装置１０を見ることができる。なお、角度可変手段としては、第１のヒンジ７１と、第２のヒンジ７２を例に挙げたが、例えば、３次元的に角度を変更することができる自在継手であってもよく、第１のヒンジ７１又は第２のヒンジ７２のいずれか一方のみであってもよい。
【００２５】
８２は操作部材としてのスイッチや操作ボタンである。操作部材８２には例えば、上述したモード切替スイッチ４１、表示設定ボタン４２、パワーＬＣＤボタン４３等がそれぞれ割り当てられている。
【００２６】
次に、図３〜図１３を参照して、第１の実施形態の動作について説明する。
図３は本実施形態のメインフローチャートである。
【００２７】
まず、操作者によりデジタルカメラ８０の主電源がオンされると、ステップＳ１０１では、中央処理装置２２が所定の初期設定を行う。具体的には、中央処理装置２２が後述するステップＳ１０４のバックライト輝度調光設定で設定された制御信号による輝度を設定する。
【００２８】
ステップＳ１０２では、中央処理装置２２が操作者により操作された操作ボタンの種類を判断する。ステップＳ１０２でパワーＬＣＤモード設定が選択された場合は、図４に示すパワーＬＣＤのサブルーチンステップＳ１０３へ移行する。また、バックライト輝度調光設定が選択された場合は、図６に示すバックライト輝度調光のサブルーチンステップＳ１０４へ移行する。また、表示設定が選択された場合は、図７に示す表示設定のサブルーチンステップＳ１０５へと移行する。また、どれも選択されない場合は終了する。
【００２９】
なお、デジタルカメラにおいては、ステップＳ１０２で操作される機能設定や動作は上述したステップＳ１０３〜ステップＳ１０５以外にも数多く存在するが、本実施形態ではそれら設定・動作についての詳細は省略する。また、ステップＳ１０３〜ステップＳ１０５それぞれのサブルーチンの動作が終了すると、再びステップＳ１０２へ移行する。
【００３０】
次に、ステップＳ１０２でパワーＬＣＤモード設定の選択がされ、パワーＬＣＤモード設定に移行した場合について、図４を用いて説明する。図４は、図３のステップＳ１０３におけるパワーＬＣＤモード設定のサブルーチンであり、このサブルーチンはバックライトの輝度を設定する設定手段を構成する。
【００３１】
ステップＳ１０２において、パワーＬＣＤモード設定が選択されると、ステップＳ２０１にて、中央処理装置２２はフラッシュメモリ５１内に記憶されているパワーＬＣＤフラグをチェックする。パワーＬＣＤフラグは４つの値のうちの１つの値をとり、次のような意味を持つ。すなわち
（１）００：バックライトの輝度は調光設定により設定されており、
かつ変更前の値が最小値又はデフォルト値
（２）０１：バックライトの輝度はパワーＬＣＤモード設定により
最大輝度に設定されている
（３）１０：バックライトの輝度は調光設定により設定されており、
かつ変更前の値が最大値
（４）１１：バックライトの輝度はパワーＬＣＤモード設定により
最小輝度に設定されている
【００３２】
上記（１）の場合、すなわち中央処理装置２２が、パワーＬＣＤフラグをチェックし、００であった場合は、フラッシュメモリ５１に記憶されている、バックライト１２を最大輝度にするための、バックライト駆動回路１４に出力する制御信号を読み出す。その後、中央処理装置２２は、フラッシュメモリ５１から最大値となるような制御信号を読み出し（ステップＳ２０２）、パワーＬＣＤフラグに０１を上書きし（ステップＳ２０３）、ステップＳ２１０に移行する。
【００３３】
上記（２）の場合、すなわち中央処理装置２２が、パワーＬＣＤフラグをチェックし、０１であった場合は、フラッシュメモリ５１に記憶されている、変更前の元の制御信号をフラッシュメモリ５１より読み出す（ステップＳ２０４）。その後、中央処理装置２２はパワーＬＣＤフラグに１０を上書きし（ステップＳ２０５）、ステップＳ２１０に移行する。
【００３４】
上記（３）の場合、すなわち中央処理装置２２が、パワーＬＣＤフラグをチェックし、１０であった場合は、フラッシュメモリ５１に記憶されている、バックライト１２を最小輝度にするための、バックライト駆動回路１４に出力する制御信号を読み出す。その後、中央処理装置２２は、フラッシュメモリ５１から最小値となるような制御信号を読み出し（ステップＳ２０６）、パワーＬＣＤフラグに１１を上書きし（ステップＳ２０７）、ステップＳ２１０に移行する。
【００３５】
上記（４）の場合、すなわち中央処理装置２２が、パワーＬＣＤフラグをチェックし、１１であった場合は、フラッシュメモリ５１に記憶されている、変更前の元の制御信号をフラッシュメモリ５１より読み出す（ステップＳ２０８）。その後、中央処理装置２２はパワーＬＣＤフラグに００を上書きし（ステップＳ２０９）、ステップＳ２１０に移行する。
【００３６】
ステップＳ２０３、２０５、２０７、２０９を経た後、ステップＳ２１０に移行し、中央処理装置２２は、バックライト駆動回路１４に出力していた現在の制御信号をフラッシュメモリ５１に記憶する。その後、ステップＳ２１１では中央処理装置２２は、ステップＳ２０２、２０４、２０６、２０８それぞれにて設定された制御信号をバックライト駆動回路１４に出力し、それぞれに応じた輝度を出力する。
【００３７】
上述した動作について図８に調光ステップと輝度の変化について詳述する。
調光ステップが中間の位置にあるとする。操作者によりパワーＬＣＤモード設定が操作されると、輝度が＋αステップに変更され（遷移（１））、次の操作では輝度が中間の位置、つまり変更前の輝度に戻る（遷移（２））。次に操作された場合は、輝度が−βステップに変更され（遷移（３））、次の操作では輝度が中間の位置に戻る（操作（４））。
【００３８】
また、バックライトの輝度がバックライト輝度調光設定により変更されていた際の、パワーＬＣＤモード設定の動作を図９に示す。この場合も、中間輝度が調光輝度に変化されている以外は、遷移動作の（１）→（２）→（３）→（４）に変わりはない。調光輝度がすでに＋α（−β）である場合は、（１）（（３））の遷移を行っても一見輝度が変更しないように見えるが、ここでは問題ないとする。
【００３９】
なお、上述の説明では、ステップＳ２０２にて最大輝度制御信号読み出し、ステップＳ２０６にて最小輝度制御信号読み出しとしている。しかしながら、バックライトで駆動できる最大・最小輝度でなくても、ある程度の大きさの輝度の制御信号読み出しであってもよい。例えば、図８において＋α、−βステップの輝度がそれぞれ最大輝度、最小輝度でなくても問題はない。なお、最大輝度とは、図１３に示すように例えば＋７よりも少し小さな値の＋６．５等も含まれるものとし、最小輝度とは、例えば−７よりも少し大きな値の−６．５等も含まれるものとする。
【００４０】
また図８における動作は、中間輝度→最大輝度→中間輝度→最小輝度→中間輝度という遷移の繰り返しであったが、これを図１０のように中間輝度→最小輝度→中間輝度→最大輝度→中間輝度の遷移としても問題ない。この場合は、図４のフローは、ステップＳ２０２において最大輝度制御信号読み出しを最小輝度制御信号読み出しに変更し、ステップＳ２０６において最小輝度制御信号読み出しを最大輝度制御信号読み出しに変更すれば容易に実現可能である。
【００４１】
また図１１のように、中間輝度→最大輝度→最小輝度→中間輝度という３回の遷移の繰り返しも容易に実現できる。この場合は、図４のフローチャートを図５のフローチャートように変更すれば実現可能である。また、同様に図１２のように中間輝度→最小輝度→最大輝度→中間輝度という遷移も容易に実現可能である。
【００４２】
パワーＬＣＤモード設定におけるバックライトの輝度を設定する設定手段は複数の操作ボタンの１つが操作された際バックライトの輝度をあらかじめ定められた範囲の最大の輝度、最小の輝度、又はバックライトの輝度を変更する前の輝度のいずれかに変更する。
【００４３】
また、以上の輝度変更はバックライトを備えた液晶表示装置が対象となるため、特にデジタルカメラでなくてもよく、例えば携帯端末装置やディスプレイ等の電子機器であっても構わない。
【００４４】
次に、ステップＳ１０２でバックライト輝度調光設定の選択がされ、バックライト輝度調光設定に移行した場合について、図６を用いて説明する。図６は、図３のステップＳ１０４におけるバックライト輝度調光設定のサブルーチンであり、このサブルーチンはバックライトの輝度を設定する設定手段を構成する。
【００４５】
まず、操作者によりバックライト輝度調光設定がなされると、中央処理装置２２は、輝度変更を行い（ステップＳ３０１）、フラッシュメモリ５１内に記憶されているパワーＬＣＤフラグを００に更新する（ステップＳ３０２）。つまり、ステップＳ１０３にてパワーＬＣＤモード設定がなされた後にバックライト輝度調光設定がなされると、中央処理装置２２は、パワーＬＣＤモード設定を解除する。次に、ステップＳ３０３にて現在の制御信号を記憶して終了する。
【００４６】
バックライト輝度調光設定におけるバックライトの輝度を設定する設定手段は、バックライトの輝度を任意の輝度に設定することができる。設定手段が、設定可能なバックライトの輝度は、あらかじめ定められた範囲の最大の輝度から最小の輝度の範囲の間であれば、いずれであってもよい。
【００４７】
ここで、実際はステップＳ３０１〜Ｓ３０３の順序が異なっていても、バックライト輝度調光設定に全く差し支えはない。
【００４８】
次に、ステップＳ１０２で表示設定の選択がされ、表示設定に移行した場合について、図７を用いて説明する。図７は、図３のステップＳ１０４におけるバックライト輝度調光設定のサブルーチンである。
【００４９】
まず、操作者により表示設定がなされると、中央処理装置２２は、モード切替スイッチ４１の状態を確認する（ステップＳ５０１）。モード切替スイッチで切替えられるモードは、再生モード、動画撮影モード、静止画撮影モード等の複数の表示モードを有している。中央処理装置２２が確認したモードが、静止画撮影モードであればステップＳ５０２へ進み、動画撮影モードであればステップＳ５１１へ、再生モードであれば、ステップＳ５１４へ進む。ステップＳ５０２において、中央処理装置２２は、外部メモリスロット５２に外部メモリが挿入されているかを確認し、挿入されている場合はステップＳ５０３に、挿入されていない場合はステップＳ５０７へ進む。
【００５０】
ステップＳ５０３において、中央処理装置２２は、現在の表示設定モードを確認し、液晶表示装置１０の状態が、映像のみの表示の場合は、映像ならびに情報表示に設定する（ステップＳ５０４）。また、Ｓ５０３において、液晶表示装置１０の状態が、映像ならびに情報表示の場合は、中央処理装置２２は表示なしに設定する。また、中央処理装置２２は、バックライト駆動回路１４の駆動を停止し、バックライト１２の駆動を停止する（ステップＳ５０５）。ステップＳ５０３において、液晶表示装置１０の状態が、表示なしの場合は、中央処理装置２２は、映像のみの表示に設定する（ステップＳ５０６）。
【００５１】
ステップＳ５０７において、中央処理装置２２は、現在の表示設定モードを確認し、液晶表示装置１０の状態が、映像のみの表示であれば、映像ならびに情報表示に設定する（ステップＳ５０８）。ステップＳ５０７において、液晶表示装置１０の状態が、映像ならびに情報表示の場合は、中央処理装置２２は、映像信号をオフにして表示なしとするが、バックライトの駆動はそのままとする（ステップＳ５０９）。このとき、液晶表示装置１０には映像信号はなくなるが、外部メディアが未挿入等の情報を液晶表示装置１０に表示し、操作者に警告をだすことが可能である。ステップＳ５０７において、液晶表示装置１０の状態が、表示なしの場合は、中央処理装置２２は、映像のみの表示に設定する（ステップＳ５１０）。
【００５２】
次に、ステップＳ５０１において、中央処理装置２２は、モード切替スイッチ４１の状態を確認し、モードが動画撮影モードでありステップＳ５１１へ進んだ場合のフローチャートについて説明する。ステップＳ５１１において、中央処理装置２２は、現在の表示設定モードを確認し、液晶表示装置１０の状態が、映像のみの表示の場合は、映像ならびに情報表示モードに設定する（ステップＳ５１２）。ステップＳ５１１において、液晶表示装置１０の状態が映像ならびに情報表示の場合は、中央処理装置２２は、映像のみの表示に設定する（ステップＳ５１３）。
【００５３】
動画撮影モードにおいては、常に映像表示設定となっているが、これは、映像表示をオフした際に操作者が知りたいと思われる、録画時間、設定モード等の表示機能を液晶表示装置１０以外には持たない仕様を前提にしているためである。録画時間や設定モード等の表示が可能であれば、表示設定の切替で映像表示なしにしても問題ない。その場合は、例えば、静止画撮影モードにおけるステップＳ５０５の分岐をステップＳ５１１で追加することで実現することができる。
【００５４】
次に、ステップＳ５０１において、中央処理装置２２は、モード切替スイッチ４１の状態を確認し、モードが再生モードでありステップＳ５１４へ進んだ場合のフローチャートについて説明する。ここで、本実施形態のデジタルカメラの映像は、外部メディアにのみ保存されることを前提としている。ステップＳ５１４において、中央処理装置２２は、外部メモリスロット５２に外部メモリが挿入されているかを確認し、挿入されている場合はステップＳ５１５に進む。ステップＳ５１５において、中央処理装置２２は、外部メディアに保存されている映像をチェックし、１つでも保存されている場合はステップＳ５１６に進む。
【００５５】
ステップＳ５１６において、現在の表示設定モードを確認し、液晶表示装置１０の状態が映像のみの表示の場合は、中央処理装置２２は、映像ならびに情報表示モードに設定する（ステップＳ５１７）。ステップＳ５１６において、液晶表示装置１０の状態が映像ならびに情報表示の場合は、中央処理装置２２は、映像のみの表示に設定する（ステップＳ５１８）。ステップＳ５１４おいて、外部メモリスロット５２に外部メモリが挿入されていない場合、又はステップＳ５１５において、外部メモリが挿入されていても、映像が１つも保存されていない場合は、ステップＳ５１９に進む。ステップＳ５１９において、中央処理装置２２は、動作無効として終了する。
【００５６】
また、上述した表示モードが変更されたとしても、パワーＬＣＤモード設定における設定手段、又はバックライトの輝度を設定する設定手段で設定されたバックライトの輝度は保持されている。
【００５７】
ここで、液晶表示装置１０の角度が変更され操作者に見えない状態にある場合、即ち操作者が液晶表示装置１０に頼らず光学ファインダー６１を頼りに撮影を行う等の場合がある。この場合に、パワーＬＣＤモード設定がなされた場合でも、図４に示すパワーＬＣＤモード設定のフローチャートどおりに機能することが可能とする。また、この場合は、中央処理装置２２が通知装置１６を制御し、スピーカー音又はＬＥＤでの操作者への輝度変更を知らせることが可能であるものとする。
【００５８】
また、液晶表示装置１０をいったんオフし、再びオンした場合でも、液晶表示装置１０の設定輝度ならびにパワーＬＣＤフラグは変更されないものとする。この場合の動作に特に図示しない。
【００５９】
また、本実施形態では、表示設定ボタン４２とパワーＬＣＤボタン４３をそれぞれ用意したが、１つのボタンで機能を重複させても問題ない。その場合は、例えばボタンがある程度以上長押しされればパワーＬＣＤモード設定であり、それ以外は表示設定であるというような使用方法が考えられる。
【００６０】
次に、図１４〜図１５を参照して、第２の実施形態について説明する。
図１４は本実施形態のメインフローチャートである。
【００６１】
まず、操作者によりデジタルカメラ８０の主電源がオンされると、ステップＳ６０１では、中央処理装置２２が所定の初期設定を行う。
【００６２】
ステップＳ６０２では、中央処理装置２２が操作者により操作された操作ボタンの種類を判断する。ステップＳ６０２で液晶表示装置角度設定が選択された場合は、図１５に示す液晶表示装置角度設定のサブルーチンステップＳ６０３へ移行する。また、バックライト輝度調光設定が選択された場合は、バックライト輝度調光のサブルーチンステップＳ６０４へ移行する。また、表示設定が選択された場合は、表示設定のサブルーチンステップＳ６０５へ移行する。また、どれも選択されない場合は終了する。
【００６３】
ここでステップＳ６０４とステップＳ６０５については、それぞれステップＳ１０４とステップＳ１０５と同じサブルーチンであるため、説明を省略する。なお、デジタルカメラにおいてはステップＳ６０２で操作される機能設定や動作は上述したステップＳ６０３〜ステップＳ６０５以外にも数多く存在するが、本実施形態ではそれらの設定・動作については省略する。また、ステップＳ６０３〜ステップＳ６０５それぞれのサブルーチンの動作が終了すると、再びステップＳ６０２へ移行する。
【００６４】
次に、ステップＳ６０２で液晶表示装置角度設定の選択がされ、液晶表示装置角度設定に移行した場合について、図１５を用いて説明する。図１５は、図１４のステップＳ６０３における液晶表示装置角度設定のサブルーチンである。
【００６５】
まず、操作者により第１のヒンジ７１又は第２のヒンジ７２により液晶表示装置１０とカメラ本体８１との間の回転角度が変更されると（ステップＳ７０１）。液晶表示装置角度検出装置１５は、その変更された液晶表示装置１０とカメラ本体８１との間の回転角度を検出する（ステップＳ７０２）。さらに、液晶表示装置角度検出装置１５は、検出した回転角度に応じた出力値を中央処理装置２２に出力する（ステップＳ７０３）。
【００６６】
次に、中央処理装置２２は、液晶表示装置角度検出装置１５により出力された角度の出力値から、あらかじめ設定された角度の出力値に対応する制御信号をバックライト駆動回路１４に出力し、バックライト１２の輝度を変更する（ステップＳ７０４）。このように、中央処理装置２２は、液晶表示装置角度検出装置１５が検出した回転角度に応じて、バックライトの輝度を変更する。
【００６７】
本実施形態によれば、ユーザが液晶表示装置１０をカメラ本体８１に対して回転させて液晶表示装置１０の角度を変更し、見るアングルを変更したとしても液晶表示装置１０の角度に応じた最適なバックライトの輝度で液晶表示装置１０の表示を見ることができる。
【００６８】
本実施形態によれば、本発明をデジタルカメラ等の撮像装置に適用すれば、ハイアングルやローアングル等で撮影するために液晶表示装置１０の角度を変更したとしても、撮影したいアングルに応じたバックライトの輝度に変更される。したがって、アングルを変更する度に、ユーザがバックライトの輝度を変更する必要がなく、デジタルカメラの使い勝手を向上させることができる。
【００６９】
また、例えば、撮影者が液晶表示装置１０の角度を変更し、デジタルカメラのレンズと同一方向に向くように撮影する場合、すなわち撮影者が自分自身を撮影するような場合を想定する。このような場合、例えば、バックライトの輝度を最大にするような設定にすることも可能である。
【００７０】
本実施形態では、中央処理装置２２が、液晶表示装置角度検出装置１５により出力された角度の出力値から、あらかじめ設定された角度の出力値に対応する制御信号をバックライト駆動回路１４に出力し、バックライトの輝度を変更する場合について説明した。しかしながら、例えば角度の出力値に対応する制御信号を変更することができるようにしてもよい。すなわち、液晶表示装置１０とカメラ本体８１との間の任意の角度に対してバックライトの輝度を任意に設定することができるようにしてもよい。具体的には、図１４のステップＳ６０４において、任意の角度に対して任意のバックライトの輝度に設定できる、新たな設定モードを追加したり、ステップＳ６０４のバックライト輝度調光設定モードにおいて行われるようにしてもよい。
【００７１】
また、本実施形態では、第２のヒンジ７２を用いて、液晶表示装置１０の角度を変更し、液晶表示装置１０をカメラ本体８１に収納すると、液晶表示装置１０の表示がオフになるようにしてもよい。この場合、液晶表示装置１０の表示がオフにされる直前のバックライトの輝度を保持しておき、再び液晶表示装置１０の表示がオンされた時に保持していたバックライトの輝度を照射するようにしてもよい。すなわち、液晶表示装置１０とカメラ本体８１との間の角度が変更され、液晶表示装置１０の表示がオフされた後、再び液晶表示装置１０の表示がオンされた時に、オフする直前のバックライトの輝度が保持されるようにしてもよい。
【００７２】
また、本実施形態では、第１のヒンジ７１又は第２のヒンジ７２を用いて液晶表示装置１０とカメラ本体８１との間の角度を変更する際、通知装置１６がバックライトの輝度が変更されていること操作者に知らせるようにしてもよい。操作者に知らせる方法として、例えば、ＬＥＤ、又はスピーカー等を用いてもよい。すなわち、角度可変手段により液晶表示装置１０とカメラ本体８１との間の角度の変更に応じてバックライトの輝度が変更された際に、バックライトの輝度が変更されたことを通知する通知手段を設けてもよい。
【００７３】
また、本実施形態では、デジタルカメラ８０の主電源がオフにされた際、再びデジタルカメラ８０の主電源がオンされた時に保持していたバックライトの輝度を照射するようにしてもよい。すなわち、デジタルカメラ８０の主電源がオフされた後、再びデジタルカメラ８０の主電源がオンされた時にオフする直前のバックライトの輝度が保持されるようにしてもよい。
【００７４】
なお、上述では、第１の実施形態と第２の実施形態を分けて説明したが、第１の実施形態と第２の実施形態を組み合わせて構成してもよい。具体的には第１の実施形態で説明したパワーＬＣＤモード設定と、第２の実施形態で説明した液晶表示角度設定とを組み合わせて構成し、いずれかの設定を選択できるようにしてもよい。
【００７５】
以上、本実施形態では、デジタルカメラとしての動作を示したが、液晶表示装置を有する電子機器、すなわち撮像部３０がない構成のものでも構わない。その際は図３における表示設定のサブルーチン図７において、ステップＳ５０１の分岐で静止画撮影モードと動画撮影モードの選択を除外すればよい。
【００７６】
上述した本発明の実施形態における電子機器を構成する各手段、並びに電子機器の制御方法の各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００７７】
また、本発明は、例えば、システム、装置、方法、プログラムもしくは記録媒体等としての実施形態も可能であり、具体的には、複数の機器からなるシステムに適用してもよい。
【００７８】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００７９】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００８０】
また、コンピュータが、読み出したプログラムを実行することによって、前述した実施形態の機能が実現される。さらに、そのプログラムの指示に基づき、コンピュータ上で稼動しているＯＳ等が、実際の処理の一部又は全部を行い、その処理によっても前述した実施形態の機能が実現され得る。
【００８１】
さらに、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００８２】
【図１】本発明の実施形態に係るデジタルカメラの構成を示す図である。
【図２】本発明の実施形態に係るデジタルカメラの外観を示す図である。
【図３】本発明の第１の実施形態に係るフローチャートである。
【図４】本発明の第１の実施形態に係るパワーＬＣＤモード設定を示すフローチャートである。
【図５】本発明の第１の実施形態に係るパワーＬＣＤモード設定を示すフローチャートである。
【図６】本発明の第１の実施形態に係るバックライト輝度調光設定を示すフローチャートである。
【図７】本発明の第１の実施形態に係る表示設定を示すフローチャートである。
【図８】本発明の第１の実施形態に係るパワーＬＣＤモード設定における輝度変更の変遷の一例を示す図である。
【図９】本発明の第１の実施形態に係るパワーＬＣＤモード設定における輝度変更の変遷の一例を示す図である。
【図１０】本発明の第１の実施形態に係るパワーＬＣＤモード設定における輝度変更の変遷の一例を示す図である。
【図１１】本発明の第１の実施形態に係るパワーＬＣＤモード設定における輝度変更の変遷の一例を示す図である。
【図１２】本発明の第１の実施形態に係るパワーＬＣＤモード設定における輝度変更の変遷の一例を示す図である。
【図１３】本発明の第１の実施形態に係る最大輝度と最小輝度について説明するための図である。
【図１４】本発明の第２の実施形態に係るフローチャートである。
【図１５】本発明の第２の実施形態に係る液晶表示装置の回転角度に対するバックライト輝度の変更を示すフローチャートである。
【図１６】調光ステップと輝度の変化について説明するための図である。
【符号の説明】
【００８３】
１０  液晶表示装置
１１  液晶パネル
１２  バックライト
１３  パネル駆動回路
１４  バックライト駆動回路
１５  液晶表示装置角度検出装置
１６  通知装置
２１  画像信号処理装置
２２  中央処理装置
３０  撮像部
３１  レンズ
３２  撮像素子
３３  撮像駆動回路
３４  Ａ／Ｄ変換回路
４１  モード切替スイッチ
４２  表示設定ボタン
４３  パワーＬＣＤボタン
５１  フラッシュメモリ
５２  外部メモリスロット
６１  光学ファインダー
７１  第１のヒンジ
７２  第２のヒンジ
８０  デジタルカメラ
８１  カメラ本体
８２  操作部材
【図１】
2008256934.tif 000003
【図２】
2008256934.tif 000004
【図３】
2008256934.tif 000005
【図４】
2008256934.tif 000006
【図５】
2008256934.tif 000007
【図６】
2008256934.tif 000008
【図７】
2008256934.tif 000009
【図８】
2008256934.tif 000010
【図９】
2008256934.tif 000011
【図１０】
2008256934.tif 000012
【図１１】
2008256934.tif 000013
【図１２】
2008256934.tif 000014
【図１３】
2008256934.tif 000015
【図１４】
2008256934.tif 000016
【図１５】
2008256934.tif 000017
【図１６】
2008256934.tif 000018